(57)【要約】【課題】天井に円筒状で下方にフランジを有した本体を埋め込み使用されるイオン発生装置において、グリルの着脱を容易にすることを目的とする。【解決手段】静電霧化装置２４を備え、グリル１９に設けた突部３１と、フランジ２に設けたリブ３２を互いに干渉せずにはめ合わせ、グリル１９を回転させて本体の底面から着脱させる構成にしたことにより、グリル１９の本体の底面への取り付ける、あるいは、取り外しを容易にすることができるイオン発生装置を得られる。【選択図】図４
2013204895.tif 000002
【特許請求の範囲】
【請求項１】
天井に円筒状で下方にフランジを有した本体を埋め込み、前記本体の天面には、遠心ファンと前記遠心ファンを回転させるための電動機と前記電動機を保持する天板を設け、前記本体の下面に吸込口と吹出口を有するグリルとを備え、前記本体内部には、静電霧化装置を備え、前記静電霧化装置によって発生したイオンが、前記遠心ファンによって前記吸込口から吸込まれ、前記吹出口から排出される空気に混流するイオン発生装置において、
前記グリルを回転させて前記本体の底面から取り外す、あるいは前記本体の底面へ取り付けることを特徴とするイオン発生装置。
【請求項２】
グリルの裏面の外周には複数の突部を設け、フランジの外周の天面側に前記突部と同数のリブを設けたことを特徴とする請求項１に記載のイオン発生装置。
【請求項３】
複数の突部のいくつかを他の前記突部と異型とし、複数のリブのいくつかも前記突部の異型とあわせて他の前記リブを異型としたことを特徴とする請求項２に記載のイオン発生装置。
【請求項４】
フランジの天面側に回転規制リブを複数設け、突部の底面側に回転規制リブと同数の窪みを設けたことを特徴とする請求項２または３に記載のイオン発生装置。
【請求項５】
フランジの外周に傾斜部を設け、その傾斜部の天面側に落下防止リブを設けたことを特徴とする請求項２または４に記載のイオン発生装置。
【発明の詳細な説明】
【技術分野】
【０００１】
本発明は、室内空間の除菌や脱臭を行うイオン発生装置に関するものである。
【背景技術】
【０００２】
従来、この種のイオン発生装置は、空気中にイオンやラジカルなどの活性種（以後イオンと記載）を供給して空気中の菌を抑制したり（除菌）、空気中の臭いを分解して取り除く（脱臭）空気浄化を目的として開発され、一般家庭に広く普及している。ここで、天井への設置を目的とされたものが知られている（例えば、特許文献１参照）。
【０００３】
以下、そのイオン発生装置について図７を参照しながら説明する。
【０００４】
図７に示すように、本体１０１と、その下面に吸込口１０３と吹出口１０４を有するグリル１０２とを有し、本体１０１の上面に制御回路ケース１０５と有し、本体１０１の内部にはイオンを発生する静電霧化装置１０６と、この静電霧化装置１０６によって生成されたイオンを排出するイオン排出口１０７を有している。
【０００５】
イオン排出口１０７からイオンは、吸込口１０３から吸い込まれた空気が吹出口１０４から吹き出される前に混ぜ合わせ、イオンを含んだ空気として吹出口１０４から吹き出される。
【０００６】
また、グリル１０２は本体１０１から着脱可能な構造となっており、このような構造はこの種のイオン発生装置に限らず、天井へ設置される換気装置にも使用されている。（例えば、特許文献２参照）。
【０００７】
以下、天井へ設置される換気装置において、着脱可能な構造について図８を参照しながら説明する。
【０００８】
図８に示すように、室内側に開口２０１を有した箱状のフレーム２０２と、開口２０１を室内側から覆うグリル２０３を有している。
【０００９】
グリル２０２には二又状の開き勝手のばね２０４を設けるとともに、フレーム２０２の内部にばね２０４が挿入されて係合する挿入開口２０５を有したばね係合部２０６を設け、挿入開口２０５には、挿入されたばね２０４に押されて回動するばね着脱検知板２０７を設けてあり、これによりグリル２０２の着脱を行う構造である。
【先行技術文献】
【特許文献】
【００１０】
【特許文献１】特開２０１１−２５３７８０号公報
【特許文献２】特開２０１０−１９０５０６号公報
【発明の概要】
【発明が解決しようとする課題】
【００１１】
このような従来の天井への設置を目的としたイオン発生装置あるいは換気装置においては、ばねを指で縮めて挿入開口に差し込む構造となっており、そのばねは通常施工状態においての落下を防ぐために弾性力の大きいものを使用するため、取り付けが容易ではなく、さらに天井という高い位置への取り付けになるため、ユーザーによってはグリルの取り付けが難しい、という課題を有していた。
【００１２】
そこで本発明は、上記従来の課題を解決するものであり、グリルの着脱を容易にすることができるイオン発生装置を提供することを目的とする。
【課題を解決するための手段】
【００１３】
そして、この目的を達成するために、本発明は、天井に円筒状で下方にフランジを有した本体を埋め込み、前記本体の天面には、遠心ファンと前記遠心ファンを回転させるための電動機と前記電動機を保持する天板を設け、前記本体の下面に吸込口と吹出口を有するグリルとを備え、前記本体内部には、静電霧化手装置を備え、前記静電霧化装置によって発生したイオンが、前記遠心ファンによって前記吸込口から吸込まれ、前記吹出口から排出される空気に混流するイオン発生装置において、前記グリルを回転させて前記本体の底面から取り外す、あるいは前記本体の底面へ取り付けることを特徴としたものであり、これにより所期の目的を達成するものである。
【発明の効果】
【００１４】
本発明によれば、天井に円筒状で下方にフランジを有した本体を埋め込み、前記本体の天面には、遠心ファンと前記遠心ファンを回転させるための電動機と前記電動機を保持する天板を設け、前記本体の下面に吸込口と吹出口を有するグリルとを備え、前記本体内部には、静電霧化装置を備え、前記静電霧化手装置によって発生したイオンが、前記遠心ファンによって前記吸込口から吸込まれ、前記吹出口から排出される空気に混流するイオン発生装置において、前記グリルを回転させて前記本体の底面から取り外す、あるいは前記本体の底面へ取り付ける構成にしたことにより、グリルを回転させて本体の底面から着脱させることができるため、グリルの着脱を容易にすることができる、という効果を得ることができる。
【図面の簡単な説明】
【００１５】
【図１】本発明の実施の形態１のイオン発生装置の構成を示す断面図
【図２】同イオン発生装置の構成を示す上部分解図
【図３】同イオン発生装置の構成を示す下部分解図
【図４】同イオン発生装置のフランジとグリルを示す斜視図
【図５】同イオン発生装置のフランジを示す詳細図
【図６】同イオン発生装置のグリルを示す詳細図
【図７】従来のイオン発生装置の構成を示す斜視図
【図８】従来の換気装置の構成を示す構成図
【発明を実施するための形態】
【００１６】
本発明の請求項１記載のイオン発生装置は、天井に円筒状で下方にフランジを有した本体を埋め込み、前記本体の天面には、遠心ファンと前記遠心ファンを回転させるための電動機と前記電動機を保持する天板を設け、前記本体の下面に吸込口と吹出口を有するグリルとを備え、前記本体内部には、静電霧化装置を備え、前記静電霧化装置によって発生したイオンが、前記遠心ファンによって前記吸込口から吸込まれ、前記吹出口から排出される空気に混流するイオン発生装置において、前記グリルを回転させて前記本体の底面から取り外す、あるいは前記本体の底面へ取り付ける、という構成を有する。これにより、グリルを回転させて本体の底面から着脱させることができるので、グリルの着脱を容易にする、という効果を奏する。
【００１７】
また、グリルの裏面の外周には複数の突部を設け、フランジの外周の天面側に前記突部と同数のリブを設ける、という構成にしてもよい。これにより、複数の突部と複数のリブを全てはめ合わせることになるので、グリルを本体の底面に取り付けることができる、という効果を奏する。
【００１８】
また、複数の突部のいくつかを他の前記突部と異型とし、複数のリブのいくつかも前記突部の異型とあわせて他の前記リブを異型とする、という構成にしてもよい。これにより、同じ形状どうしの複数の突部と複数のリブをはめ合わせることになるので、グリルの誤装着を防ぎ正規の位置に取り付けることができる、という効果を奏する。
【００１９】
また、フランジの天面側に回転規制リブを複数設け、突部の底面側に回転規制リブと同数の窪みを設ける、という構成にしてもよい。これにより、回転規制リブに窪みをはめ込むことになるので、グリルの誤装着を防ぎ正規の位置にグリルが底面から外れないように取り付けることができる、という効果を奏する。
【００２０】
また、フランジの外周に傾斜部を設け、その傾斜部の天面側に落下防止リブを設ける、という構成にしてもよい。これにより、窪みが回転規制リブから外れたとき、突部側面が落下防止リブにあたることになるので、グリルの落下を防ぐことができる、という効果を奏する。
【００２１】
（実施の形態１）
以下、本発明の実施の形態について図面を参照しながら説明する。
【００２２】
図１〜６に示すように、天井１００に本体１を埋め込み、天井１００からイオンを発生させるイオン発生装置に係るものであり、図１に示すように、本体１は、円筒状を有しており下方にはフランジ２を有し、本体１の最上方の天面３には、遠心ファンであるターボファン４とターボファン４を回転させる電動機５を有し、電動機５を保持する天板６を天面３に設けたうえ、天板６の下方には電動機５を接続するターボファン４を組み込んで構成されている。
【００２３】
なお、電動機は、直流（ＤＣ）でも交流（ＡＣ）でもどちらでも良い。
【００２４】
そして、本体１の左右すなわち側面には取付金具７を設け、図２に示すように、取付金具７は板状の固定金具７ａと根底金具７ｂの二つの部品で構成され、根底金具７ｂは固定金具７ａと接触する接触面３４を中心に天井１００面と根底金具７ｂが平行となるように回転でき、本体１の側面にあいた穴８と固定金具７ａにあいた長穴９を貫通する金具専用ネジ１０の進む方向の先端には、固定ナット１１が設けられている。
【００２５】
金具専用ネジ１０を回転させることで、本体１の側面に設けた天井１００側を凹状としたコの字形状の壁１２によって、回転方向の動きを規制された固定ナット１０が上下に移動し固定金具７を下方に移動させて、フランジ２と固定金具７とで天井１００を挟みこんで本体１を天井１００に固定することとなる。
【００２６】
なお、フランジ２に設けてある取り付け穴１３にネジを差し込んで締め付けることで、天井１００に取り付けることも可能である。
【００２７】
図２に示すように、電動機５の軸方向の中央には電動機フランジ１４が設けられており、電動機５は天板６の上方よりネジで電動機フランジ１４を介して取付けられ、電動機５が取り付けられる天板６の中央には本体１の天面３より低い窪み部１５があり、天板６は窪み部１５の面に取り付けられており、図１に示すように、ターボファン４は電動機５を天板６に取り付けている面から軸１６にかけて覆い隠す形状となっている。
【００２８】
また、図３に示すように、本体１の下端の中央に、吸込口１７と吸込口１７の外周囲に吹出口１８を有するグリル１９を備え、本体１の下端の吸込口１７から、図１に示すように、オリフィス部２０にかけて筒状の経路２１を通ってターボファン４に吸い込まれ、ターボファン４の全周に吹出し、また、グリル１９の吹出口１８へ導く空気流路２２が設けられている。
【００２９】
また、本体１の内部に本体１を天面３に平行な水平に仕切る仕切板２３と、仕切板２３に静電霧化装置２４と運転動作ランプ２５を設け、静電霧化装置２４と運転動作ランプ２５には保護カバー２６で完全に覆うことでユーザーが手を触れることができないようにしてある。
【００３０】
そして、保護カバー２６の下方には、静電霧化装置２４から発生したイオンを排出するイオン排出口２７を備え、イオン排出口２７が吹出口１８近傍に設けられている。
【００３１】
また、イオン排出口２７の大きさは直径５ミリメートル程度となっており、ユーザーの指が入り込まない大きさとなっている。
【００３２】
さらに、保護カバー２６の下方には運転動作ランプ２５の光が通る光筒２８を設け、グリル１９へ運転動作ランプ２５の光を透過させ、グリル１９の表面で光を浮び上がらせている。
【００３３】
加えて、運転動作ランプ２５の光が通過するグリル１９の表面の厚みに、一例として丸型の凹み２９を備えた構造としたことで、運転動作ランプ２５上のグリル１９の表面が薄くなるため、運転動作ランプ２５の光の透過性が増し、より鮮明にランプが浮かび上がる仕様となっている。
【００３４】
また、電動機５（図１参照）および静電霧化装置２４をコントロールする基板を納める制御回路ケース３０は、本体１の外郭にあたる天板６と電動機５の上方に設置し、制御回路ケース３０の幅は、本体１の直径値より小さくし、制御回路ケース３０の長手方向は、本体１の中心軸より片方に完全に寄せて配置されている。
【００３５】
また、図４に示すように、グリル１９の裏面すなわち本体１側の外周には複数の突部３１を設け、フランジ２の外周の天面側にグリル１９の突部３１と同数のそれぞれ大きさの異なるリブ３２を設けたことで、グリル１９の突部３１とフランジ２のリブ３２を互いに干渉せずにはめ合わせることができる。
【００３６】
このとき、複数の突部３１のいくつかを他の突部３１と異型とし、複数のリブのいくつかも突部３１の異型とあわせて他のリブ３２を異型としたことで、同じ形状どうしの箇所でないと、グリル１９はフランジ２へ正しくはめ合わすことができないため、結果としてグリル１９の誤装着を防ぎ、正規の位置へ取り付けることができる。
【００３７】
仮に、不正規の位置に取り付けることができてしまうと、凹み２９が正規の位置から離れてしまい、運転動作ランプ２５の光が弱く見えてしまうため、正規の状態での取り付けることで、光をより鮮明に浮かび上がらせる効果も得られている。
【００３８】
また、グリル１９をフランジ２に互いに干渉せずにはめ合わせた状態から、天面側に向かって反時計回りにグリル１９を回し、突部３１は傾斜部３３を接触して伝ってゆき、グリル１９の突部側面３４ａ（図５参照）がフランジ２の回転抑止壁３５に接触するまで回すことによって、グリル１９がフランジ２の底面から外れないように取り付けることができる。
【００３９】
さらに、フランジ２の天面側に回転規制リブ３６（図６参照）を複数設け、さらにグリル１９の突部３１の底面側に回転規制リブ３６と同数の窪み３７（図５参照）を設けたことで、グリル１９の突部側面３４ａがフランジ２の回転抑止壁３５へ接触すると同時に、窪み３７が回転規制リブ３６にはめ合わさる構造となっているため、グリル１９がフランジ２から外れないように取り付けることができる。
【００４０】
また、傾斜部３３を設けたことで、グリル１９の回転時に天井１００とグリル１９の天井化粧面接触部３８との間に隙間ができるため、グリル１９の回転による天井１００への傷付きを防ぐことができる。
【００４１】
さらに、突部側面３４ａが回転抑止壁３５に接触して窪み３７が回転規制リブ３６にはめ合わさり、グリル１９が正規の状態へと固定された状態の時に、天井１００に対して天井化粧面接触部３８との隙間をなくした構造にしたため、天井とグリルのすき間から漏れることなく吹出口から排出することができる。
【００４２】
また、傾斜部３３に落下防止リブ３９を設けることで、グリル１９の突部３１が傾斜部３３を接触して伝って天面側に向かって時計回りに回る際、突部側面３４ｂが落下防止リブ３９にあたるため、グリル１９が落下することを防ぐことができる。
【００４３】
また、グリル１９をフランジ２から外したい場合には、突部側面３４ｂが落下防止リブ３９に接触し回転が止まっている状態から、グリル１９を天面側に持ち上げながら天面側に向かって時計回りにまわすことで、突部３１が落下防止リブ３９を乗り越えることができ、さらにそのまま回転を続け、突部３１がリブ３２と互いに干渉しない位置まで回すことで、グリル１９をフランジ２から外すことができる。
【００４４】
なお、本形態では突部３１とリブ３２はそれぞれ４つずつ、互いの間隔が均等になるように配置されているが、グリル１９がフランジ２に固定される構造であれば、突部３１やリブ３２の数の増減や配置もしくはその形状はこの限りではなく、応用が利く仕組みである。
【００４５】
加えて、回転規制リブ３６と窪み３７についても、突部３１やリブ３２と同数の４つを設置した構造となっているが、グリル１９の回転を規制してグリル１９がフランジ２から外れないように取り付けることができるのであれば、数や配置もしくはその形状はこの限りではなく、応用が利く仕組みである。
【００４６】
さらに、落下防止リブ３９についても、突部３１やリブ３２と同数の４つを設置した構造となっているが、窪み３７が回転規制リブ３６から外れた際にグリル１９が落下することを防げるのであれば、数や配置もしくはその形状はこの限りではなく、応用が利く仕組みである。
【００４７】
また、本形態のようにグリル１９とフランジ２の形状が円形状であれば、本発明のイオン発生装置に限らず幅広い製品に使用できる発明となっている。
【産業上の利用可能性】
【００４８】
本発明にかかるイオン発生装置は、天井に取り付けて広範囲にイオン供給を可能とするものであるので、イオンによってもたらすことができる効果や効能を居住空間に供給することに有用であり、また、クローゼットやバス、トイレ、または倉庫などの非居住空間においても有用である。
【符号の説明】
【００４９】
１      本体
２      フランジ
３      天面
４      ターボファン
５      電動機
６      天板
１７    吸込口
１８    吹出口
１９    グリル
２４    静電霧化装置
３１    突部
３２    リブ
３３    傾斜部
３６    回転規制リブ
３７    窪み
３９    落下防止リブ
１００  天井
【図１】
2013204895.tif 000003
【図２】
2013204895.tif 000004
【図３】
2013204895.tif 000005
【図４】
2013204895.tif 000006
【図５】
2013204895.tif 000007
【図６】
2013204895.tif 000008
【図７】
2013204895.tif 000009
【図８】
2013204895.tif 000010